(57)【要約】【課題】延長方向と直交する断面において、車内側に位置する袋状断面部と、車外側に位置してドア外面の一部となる意匠部と、この袋状断面部と意匠部とを連結する連結部を有し、これらの袋状断面部、意匠部及び連結部は、ガラスラン保持凹部を形成するロール成形品からなる車両用ドアサッシュにおいて、軽量化を図り、溶接作業を容易にする。【解決手段】連結部は、溶接結合された二枚板構造からなる車両用ドアサッシュ。【選択図】図１
2010012892.tif 000002
【特許請求の範囲】
【請求項１】
ロール成形品からなる車両用ドアサッシュであって、延長方向と直交する断面において、車内側に位置する袋状断面部と、車外側に位置してドア外面の一部となる意匠部と、この袋状断面部と意匠部とを連結する連結部を有し、これらの袋状断面部、意匠部及び連結部は、ガラスラン保持凹部を形成する車両用ドアサッシュにおいて、
上記連結部は、溶接結合された二枚板構造からなることを特徴とする車両用ドアサッシュ。
【請求項２】
請求項１記載の車両用ドアサッシュにおいて、上記連結部は、袋状断面部と意匠部に連なる第一の連結板部と、上記意匠部から袋状断面部に向けて戻る第二の連結板部とからなっている車両用ドアサッシュ。
【請求項３】
請求項１または２記載の車両用ドアサッシュにおいて、上記第一の連結板部と第二の連結板部、及び上記第一の連結板部とこの第一の連結板部に重なる、上記袋状断面部に延びる板材端部とがそれぞれ溶接されている車両用ドアサッシュ。
【請求項４】
請求項２または３記載の車両用ドアサッシュにおいて、上記第二の連結板部は、ガラスラン保持凹部とは反対側の面上に重ねられている車両用ドアサッシュ。
【請求項５】
請求項４記載の車両用ドアサッシュにおいて、上記第二の連結板部は、第一の連結板部上において切り起こされ、上記意匠部との間にウェザストリップ保持凹部を形成するウェザストリップ保持縁を構成している車両用ドアサッシュ。
【請求項６】
請求項４記載の車両用ドアサッシュにおいて、上記袋状断面部から延長された板材端部は、第一の連結板部の延長部上に重ねられ、該重畳部において溶接固定されている車両用ドアサッシュ。
【請求項７】
請求項１または２記載の車両用ドアサッシュにおいて、上記袋状断面部側から延びる板材端部は、第二の連結板部のガラスラン保持凹部側の面と反対側の面上に延長されていて、その先端部に上記意匠部との間にウェザストリップ保持凹部を形成する切り起し片を有している車両用ドアサッシュ。
【請求項８】
請求項７記載の車両用ドアサッシュにおいて、上記第二の連結板部は、袋状断面部側から延びる板材端部と第一の連結板部との間に挟着されている車両用ドアサッシュ。
【請求項９】
請求項７記載の車両用ドアサッシュにおいて、上記第二の連結板部は、第一の連結板部のガラスラン保持凹部側の面に重ねられている車両用ドアサッシュ。
【請求項１０】
請求項１ないし９のいずれか１項記載の車両用ドアサッシュにおいて、上記溶接手段は少なくともレーザ溶接を含んでいる車両用ドアサッシュ。
【請求項１１】
請求項１０記載の車両用ドアサッシュにおいて、上記レーザ溶接は、該ドアサッシュの延長方向に沿う二列の溶接ラインに沿って、千鳥状に施されている車両用ドアサッシュ。
【発明の詳細な説明】
【技術分野】
【０００１】
本発明は、車両用ドアサッシュに関し、特にロール成形されるドアサッシュに関する。
【背景技術】
【０００２】
車両用ドアフレームは一般に、ドア本体（インナパネルとアウタパネル）の上部に、車両ボディのドア開口に沿うドアサッシュを一体に設けている。
【０００３】
このドアサッシュは、鉄系材料のロール成形品と、アルミ系材料の押出成形品とが知られている。このうち、ロール成形品は、周知のように、長尺の板材を多数のロールで段階的に曲折して所定の断面形状とし、その後、溶接する工程で製造されている。
【０００４】
図７は、従来のロール成形ドアサッシュ１の典型的な断面形状（延長方向と直交する方向の断面形状）例を示している。このドアサッシュ１は、車内側に位置する袋状断面部（閉曲線断面部）２と、車外側に位置してドア外面の一部となる意匠部３と、この袋状断面部２と意匠部３とを連結する連結部４を有する。意匠部３は、連結部４から車両ボディＢ（のドア開口Ａ）側に延びるボディ側意匠部３ａとドアガラス側に延びるガラス側意匠部３ｂを有していて、巨視的には連結部４とともにＴ字断面をなし、該ガラス側意匠部３ｂ、連結部４及び袋状断面部２によって、ガラスランＧＲを保持する凹部５が形成されている。また意匠部３のボディ側意匠部３ａと連結部４によって、ウェザストリップＷＳを保持する凹部６が形成されている。
【０００５】
この従来品では、袋状部２から意匠部３に向けて延長させた板材４ａの図の下方（ドアガラスＧ側）に、袋状部２から意匠部３に至る板材４ｂが位置し、さらに、板材４ａの上方（ドア開口Ａ側）に、意匠部３から袋状断面部２に向けて延長させた板材４ｃが位置して相互に重ねられ、これらが溶接箇所Ｗでスポット溶接されて、連結部４が形成されていた。
【特許文献１】特開２００１-２１３１６７号公報
【特許文献２】特開２００３-１７０７４０号公報
【発明の開示】
【発明が解決しようとする課題】
【０００６】
この従来のロール成形ドアサッシュは、連結部４において、３枚重ねの鉄系板材を溶接しなければならない。しかし、３枚重ねの板材の溶接は技術的に困難であり、歩留まりが悪いという問題があった。また、連結部４において３枚重ねとなる従来構造は、近年の車両の軽量化の要求にも応えることができない。
【０００７】
本発明は、以上の問題意識に基づき、ロール成形の車両用ドアサッシュにおいて、軽量化を図り、溶接作業を容易にすることを目的とする。
【課題を解決するための手段】
【０００８】
本発明は、ロール成形品からなる車両用ドアサッシュであって、延長方向と直交する断面において、車内側に位置する袋状断面部と、車外側に位置してドア外面の一部となる意匠部と、この袋状断面部と意匠部とを連結する連結部を有し、これらの袋状断面部、意匠部及び連結部は、ガラスラン保持凹部を形成する車両用ドアサッシュにおいて、連結部を、溶接結合された二枚板構造としたことを特徴としている。
【０００９】
連結部は、具体的には例えば、袋状断面部と意匠部に連なる第一の連結板部と、意匠部から袋状断面部に向けて戻る第二の連結板部とから構成することができる。
【００１０】
この第一の連結板部と第二の連結板部、及び第一の連結板部とこの第一の連結板部に重なる、袋状断面部に延びる板材端部とをそれぞれ溶接することが好ましい。
【００１１】
この第二の連結板部は、例えば、ガラスラン保持凹部とは反対側の面上に重ねることができる。
【００１２】
また、第二の連結板部は、第一の連結板部上において切り起こし、意匠部との間にウェザストリップ保持凹部を形成するウェザストリップ保持縁とすることができる。
【００１３】
本発明の一実施態様では、袋状断面部から延長された板材端部を、第一の連結板部の延長部上に重ね、該重畳部において溶接固定することができる。
【００１４】
あるいは、袋状断面部側から延びる板材端部を、第二の連結板部のガラスラン保持凹部側の面と反対側の面上に延長し、その先端部に意匠部との間にウェザストリップ保持凹部を形成する切り起し片を形成することも可能である。
【００１５】
第二の連結板部は、袋状断面部側から延びる板材端部と第一の連結板部との間に挟着し、あるいは、第一の連結板部のガラスラン保持凹部側の面に重ねることができる。
【００１６】
二枚板構造の連結部の溶接には、レーザ溶接を用いることが好ましい。このレーザ溶接は、該ドアサッシュの延長方向に沿う二列の溶接ラインに沿って、千鳥状に施すと、高い剛性を確保することができる。
【発明の効果】
【００１７】
本発明の車両用ドアサッシュは、車内側に位置する袋状断面部と、車外側に位置してドア外面の一部となる意匠部と、この袋状断面部と意匠部とを連結する連結部を有し、これらの袋状断面部、意匠部及び連結部は、ガラスラン保持凹部を形成する車両用ドアサッシュにおいて、連結部を、溶接結合された二枚板構造としたので、軽量化を図ることができ、また二枚板構造を溶接するので、その溶接が容易かつ確実である。
【発明を実施するための最良の形態】
【００１８】
図５は、本発明による車両用ドアサッシュを適用する乗用車の側面形状を示している。車両ボディＢのドア開口（ドア開口）Ａを開閉する車両ドア１０は、ドア本体（インナパネルとアウタパネル）１１の上部に窓開口１２を形成するドアサッシュ（窓枠）２０を備えている。ドアサッシュ２０は、窓ガラスＷの上縁を受け入れる曲折したアッパサッシュ２０Ａと窓ガラスＷの上下方向縁部を受け入れる立柱サッシュ２０Ｂとを有しており、アッパサッシュ２０Ａと立柱サッシュ２０Ｂは接合（溶接）されている。アッパサッシュ２０Ａは、ドア開口Ａの上縁に沿い、立柱サッシュ２０Ｂは車両ボディＢ（ドア開口Ａ）のセンターピラー１６に沿っている。
【００１９】
本実施形態のドアサッシュ２０は、アッパサッシュ２０Ａと立柱サッシュ２０Ｂのいずれにも適用できる。図１は、その第１の実施形態を示すもので、図５のI-I線に沿う断面（アッパサッシュ２０Ａ又は（及び）立柱サッシュ２０Ｂの延長方向と直交する断面）の形状を示している。ロール成形によって形成されるこのドアサッシュ２０は、車内側に位置する袋状断面部（閉曲線断面部）２１と、車外側に位置してドア外面の一部となる意匠部２２と、この袋状断面部２１と意匠部２２とを連結する連結部２３を有している。閉曲線からなる袋状断面部２１は、ドアサッシュ２０の強度を主に担う部分である。
【００２０】
ロール成形は、図１の断面に示されるドアサッシュ２０の袋状断面部２１、意匠部２２及び連結部２３を、一連の板材によって、一筆書きで描く成形方法である。いま、その始端（一端部）をＳ、終端部（他端部）を終端Ｆとし、車内側、車外側、ドアガラスＧ側、及びドア開口Ａ側を基準にこの一筆書き構造を説明する。基準として一連の板材の始端Ｓと終端Ｆを用いる。一連の板材は、始端Ｓから車内側に延長されてドアガラスＧ側に膨らむ袋状断面部２１を形成した後、始端Ｓを含む重畳部２４において重ねられ、さらに第一連結板部２３ａとして車外側に延長された後、車外側の端部に意匠部２２を形成する。つまり、第一連結板部２３ａは、袋状断面部２１と意匠部２２を連結する板部である。意匠部２２は、第一連結板部２３ａから一旦ドアガラスＧ側に曲げられた後折り返されてガラス側意匠部２２ａを形成し、さらに第一連結板部２３ａの延長部分を超えてドア開口Ａ側に延びた後折り返され、ボディ側意匠部２２ｂを形成する。
【００２１】
以上の袋状断面部２１、ガラス側意匠部２２ａ及び第一連結板部２３ａによってガラスラン保持凹部２６が形成されており、袋状断面部２１とガラス側意匠部２２ａには、ガラスラン保持凹部２６の抜け止め壁（凹凸部）を形成する凹部２６ａと２６ｂが形成されている。ガラスラン保持凹部２６には、凹部２６ａと２６ｂによって抜け止められてガラスランＧＲが保持される。ガラスランＧＲは、ドアガラスＧの周縁を受け入れる。
【００２２】
ボディ側意匠部２２ｂは、ドア開口Ａ側への端部において折り返された後、第一連結板部２３ａのドア開口Ａ側（ガラスラン保持凹部２６の反対側の面）に重ねられて袋状断面部２１に向けて延び、第二の連結板部２３ｂを構成する。第二連結板部２３ｂの終端Ｆは、切起し片（ウェザストリップ保持縁）２７を構成し、この切起し片２７と、ボディ側意匠部２２ｂによってウェザストリップ保持凹部２８が形成されている。ボディ側意匠部２２ｂには、ウェザストリップＷＳを保持する凹部（凸部）２８ａが形成されている。
【００２３】
重畳部２４と第一連結板部２３ａ、第一連結板部２３ａと第二連結板部２３ｂはそれぞれ、本ドアサッシュの延長方向に離散的に設定した溶接箇所Ｗにおいて、レーザ溶接によって結合されている。図１では、便宜上、同一断面に２つの溶接箇所Ｗを示しているが、実際には、図６に示すように、該ドアサッシュの延長方向に沿う二列の溶接ラインに沿って、千鳥状に施すことが好ましい。このような千鳥状のレーザ溶接は、ドアサッシュの剛性を高めるために効果があり、また一台のレーザ溶接機で行うことができるため、コスト低下を図ることができる。
【００２４】
図２は、本発明による車両用ドアサッシュの第２の実施形態を示している。この実施形態は、袋状断面部２１を構成する板材の始端Ｓ（重畳部２４）を第一連結板部２３ａのガラスラン保持凹部２６側の面とした実施形態である。この他の構成は、図１と同じであり、同一の構成要素には同一の符号を付している。このように重畳部２４をドアガラスＧ側（ガラスラン保持凹部２６側）において第一連結板部２３ａに重ねると、ウェザストリップ保持凹部２８と連結部２３の溶接部分Ｗ’に錆びが発生しにくい。また、重畳部２４（始端Ｓ）が露出しないので、外観上好ましい。
【００２５】
図３は、ウェザストリップ保持凹部２８を構成する切起し片（ウェザストリップ保持縁）２９を、袋状断面部２１に至る前の始端Ｓに形成し、意匠部２２から袋状断面部２１側に延びて終端Ｆとなる第二連結板部２３ｂを、この切起し片２９と第一連結板部２３ａとの間に挟み込んだ実施形態である。この実施形態では、切起し片２９から袋状断面部２１側への延長部が第二連結板部２３ｂに重なり、三枚重ね構造が生じている。この実施形態では、この三枚重ね構造部分及び第一連結板部２３ａと第二連結板部２３ｂが重ね合わされた二枚板構造部分に溶接部分Ｗを設ける。
【００２６】
図４は、図３の実施形態において、第一連結板部２３ａと第二連結板部２３ｂの上下関係を逆にした実施形態である。つまり、第一連結板部２３ａのガラスラン保持凹部２６側に、第二連結板部２３ｂが重なっている。
【００２７】
図２ないし図４の実施形態については、特に溶接箇所Ｗについて言及しなかったが、図６で説明したレーザ溶接による千鳥溶接をそのまま適用することができる。もっとも、本発明は、レーザ溶接以外の溶接を用いることを妨げるものではない。
【図面の簡単な説明】
【００２８】
【図１】本発明による車両用ドアサッシュの一実施形態を示す、図５のI-I線に沿う断面図である。
【図２】同別の実施形態を示す、図１に対応する断面図である。
【図３】同別の実施形態を示す、図１に対応する断面図である。
【図４】同別の実施形態を示す、図１に対応する断面図である。
【図５】本発明による車両用ドアサッシュを適用する車両ドアの一例を示す側面図である。
【図６】図１のドアサッシュのレーザ溶接箇所の好ましい一例を示す展開図である。
【図７】従来のドアサッシュの一例を示す、図１に対応する断面図である。
【符号の説明】
【００２９】
Ｂ  車両ボディ
Ａ  ドア開口（ボディ開口）
Ｇ  窓ガラス
１０  車両ドア
１１  ドア本体
１２  窓開口
１６  センターピラー
２０  ドアサッシュ
２０Ａ  アッパサッシュ
２０Ｂ  立柱サッシュ
２１  袋状断面部
２２  意匠部
２２ａ  ガラス側意匠部
２２ｂ  ボディ側意匠部
２３  連結部
２３ａ  第一連結板部
２３ｂ  第二連結板部
２４  重畳部
２６  ガラスラン保持凹部
２６ａ  ２６ｂ  凹部
２７  ２９  切起し片（ウェザストリップ保持縁）
２８  ウェザストリップ保持凹部
ＧＲ  ガラスラン
ＷＳ  ウェザストリップ
Ｗ  Ｗ’  溶接部分
【図１】
2010012892.tif 000003
【図２】
2010012892.tif 000004
【図３】
2010012892.tif 000005
【図４】
2010012892.tif 000006
【図５】
2010012892.tif 000007
【図６】
2010012892.tif 000008
【図７】
2010012892.tif 000009